(57)【要約】  本出願の実施形態には、貨物輸送システム、方法及び装置が開示されている。このシステムは、パレット（１１）との間で貨物を輸送するように構成され、パレット（１１）は複数のパレット層を備え、各パレット層は貨物一時貯留エリアと複数の貨物保管エリアを含み、該システムの具体的な実施形態は、パレットに貨物を輸送するための搬入トランスポートトラック（１２）と、パレットの一つのパレット層における貨物一時貯留エリアと貨物保管エリアとの間で貨物を搬送するためのシャトルトロリー（１３）と、を備え、搬入トランスポートトラックは搬入メイントランスポートトラック（１２１）と複数の搬入サブトランスポートトラック（１２２）を備え、各搬入サブトランスポートトラック（１２２）はパレットの一つのパレット層に対応しており、いずれの搬入サブトランスポートトラック（１２２）の一端がパレットの一つのパレット層における貨物一時貯留エリアに接続され、他端が搬入メイントランスポートトラックに接続される。
2021506704.tif 000002
【特許請求の範囲】
【請求項１】
パレットとの間で貨物輸送を行うための貨物輸送システムであって、
前記パレットは複数のパレット層を備え、前記パレット層それぞれは貨物一時貯留エリアと複数の貨物保管エリアを含み、
前記貨物輸送システムは、パレットに貨物を輸送するための搬入トランスポートトラックと、一つのパレット層における貨物一時貯留エリアと貨物保管エリアとの間で貨物を搬送するためのシャトルトロリーと、を備え、
ここで、前記搬入トランスポートトラックは、搬入メイントランスポートトラックと複数の搬入サブトランスポートトラックを備え、各前記搬入サブトランスポートトラックはパレットの一つのパレット層に対応しており、いずれの搬入サブトランスポートトラックの一端がパレットの一つのパレット層における貨物一時貯留エリアに接続され、他端が前記搬入メイントランスポートトラックに接続される、貨物輸送システム。
【請求項２】
前記貨物輸送システムは、前記貨物に対応する保管位置を確定することと、前記貨物を前記貨物に対応する保管位置に輸送するように前記搬入トランスポートトラックと前記シャトルトロリーを制御することとを行うためのサーバーをさらに備え、
ここで、前記保管位置がパレット層及び貨物保管エリアを含む、請求項１に記載のシステム。
【請求項３】
前記貨物には、前記貨物の識別情報と、予め指定された、前記貨物に対応するパレット層及び貨物保管エリアとを識別するためのラベルが貼り付けられ、
いずれの搬入サブトランスポートトラックと前記搬入メイントランスポートトラックとの接続部位に第１ラベルスキャナーが設置され、
前記第１ラベルスキャナーは、前記搬入メイントランスポートトラックで運ばれている貨物のラベルをスキャンして識別し、前記ラベルに対する識別結果に基づいて前記貨物に対応する搬入サブトランスポートトラックを確定するように構成される、請求項１に記載のシステム。
【請求項４】
前記貨物には、前記貨物の識別情報及びその保管位置を識別するためのラベルが貼り付けられ、
いずれの搬入サブトランスポートトラックと前記搬入メイントランスポートトラックとの接続部位に第２ラベルスキャナーが設置され、
前記第２ラベルスキャナーは、
前記搬入メイントランスポートトラックで運ばれている貨物のラベルをスキャンして、
前記サーバーがスキャンされたラベルに基づいて前記貨物を該搬入サブトランスポートトラックに輸送するか否かを判断するためにスキャンされたラベルを前記サーバーに送信するように構成される、請求項２に記載のシステム。
【請求項５】
いずれの搬入サブトランスポートトラックと前記搬入メイントランスポートトラックとの接続部位に分流装置が設置され、
前記分流装置は、搬入メイントランスポートトラックで運ばれている貨物をこの貨物に対応する搬入サブトランスポートトラックに分流させるように構成される、請求項３又は４に記載のシステム。
【請求項６】
いずれのパレット層における貨物一時貯留エリアに第３ラベルスキャナーが設置され、
前記第３ラベルスキャナーは、
搬入サブトランスポートトラックから該パレット層における貨物一時貯留エリアに輸送された貨物のラベルをスキャンして、
前記サーバーが前記貨物を該パレット層における貨物一時貯留エリアから前記貨物に対応する貨物保管エリアに輸送するようにスキャンされたラベルに基づいて該パレット層に対応するシャトルトロリーを制御するために、スキャンされたラベルで示される貨物の識別情報と保管位置を前記サーバーに送信するように構成される、請求項２に記載のシステム。
【請求項７】
前記貨物輸送システムは、貨物をパレットから搬出するための搬出トランスポートトラックをさらに備え、
ここで、前記搬出トランスポートトラックは、搬出メイントランスポートトラックと複数の搬出サブトランスポートトラックを備え、各搬出サブトランスポートトラックは前記パレットの一つのパレット層に対応しており、いずれの搬出サブトランスポートトラックの一端が前記パレットの一つのパレット層に接続され、他端が前記搬出メイントランスポートトラックに接続される、請求項１に記載のシステム。
【請求項８】
前記搬入メイントランスポートトラックと搬出メイントランスポートトラックは、首尾接続のトランスポートセグメントを複数備え、
各トランスポートセグメントは、相互接続される第１サブトランスポートセグメントと第２サブトランスポートセグメントを備え、前記第１サブトランスポートセグメントは水平面と平行し、前記第２サブトランスポートセグメントは水平面と所定の角度をなし、
いずれのトランスポートセグメントの第１サブトランスポートセグメントは、少なくとも一つの搬入サブトランスポートトラックに接続されるか、又は少なくとも一つの搬出サブトランスポートトラックに接続され、
いずれの隣り合う二つのトランスポートセグメントのうちの一方のトランスポートセグメントの第１サブトランスポートセグメントは、他方のトランスポートセグメントの第２サブトランスポートセグメントに接続される、請求項７に記載のシステム。
【請求項９】
前記シャトルトロリーは、隣り合う二つのパレットの同じ高さのパレット層の間に設置されたトラックを走行し、
前記搬入トランスポートトラックと前記搬出トランスポートトラックは、同一パレットの、前記シャトルトロリーの走行軌跡からなる線分の反対の両端に設置される、
請求項８に記載のシステム。
【請求項１０】
前記シャトルトロリーは、隣り合う二つのパレットの同じ高さのパレット層の間に設置されたトラックを走行し、
前記搬入トランスポートトラックと前記搬出トランスポートトラックそれぞれは、隣り合う二つのパレットのうちの一方のパレットに一対一対応して接続され、前記搬入トランスポートトラックと前記搬出トランスポートトラックは、前記シャトルトロリーの走行軌跡からなる線分の同一端に設置される、請求項８に記載のシステム。
【請求項１１】
前記シャトルトロリーは、ダブルステーションシャトルトロリーであり、各ステーションには少なくとも一つの貨物が同時に収容される、請求項１に記載のシステム。
【請求項１２】
搬入トランスポートトラックにおけるいずれの搬入サブトランスポートトラックと搬入メイントランスポートトラックとの接続部位にある第２ラベルスキャナーによりスキャンされた、前記搬入メイントランスポートトラックで運ばれている貨物のラベルを受信するステップであって、前記搬入トランスポートトラックは、搬入メイントランスポートトラックと複数の搬入サブトランスポートトラックを備え、各前記搬入サブトランスポートトラックが多層パレットの一つのパレット層に対応しており、いずれの搬入サブトランスポートトラックの一端がパレットの一つのパレット層における貨物一時貯留エリアに接続され、他端が前記搬入メイントランスポートトラックに接続される、ステップと、
前記ラベルに基づいて前記貨物に対応する保管用のパレット層が、該搬入サブトランスポートトラックに対応しているか否かを判定するステップと、
前記貨物の保管用のパレット層と該搬入サブトランスポートトラックとが対応していると判定されたことに応答して、該搬入サブトランスポートトラックと搬入メイントランスポートトラックとの接続部位に設置される分流装置が前記貨物を該搬入サブトランスポートトラックに分流するように前記分流装置に指令を送信するステップと、
前記搬入サブトランスポートトラックに対応するパレット層の貨物一時貯留エリアに設置される第３ラベルスキャナーによりスキャンされた、前記搬入サブトランスポートトラックで運ばれている貨物のラベルを受信したことに応答して、該搬入サブトランスポートトラックに対応するシャトルトロリーに対して、前記貨物を貨物一時貯留エリアから前記貨物に対応する貨物保管エリアに搬送する指令を送信するステップと、
を備える貨物輸送方法。
【請求項１３】
前記方法は、
貨物が保管されるパレット層及び貨物保管エリアを備える前記貨物の保管位置を含む前記貨物の出庫指令を受信するステップと、
前記パレット層に対応するシャトルトロリーに対して、前記貨物を前記貨物保管エリアから搬出トランスポートトラックの、前記パレット層に接続した搬出サブトランスポートトラックに搬送する指令を送信するステップであって、前記搬出トランスポートトラックは、搬出メイントランスポートトラックと複数の搬出サブトランスポートトラックを備え、各搬出サブトランスポートトラックがパレットの一つのパレット層に対応しており、いずれの搬出サブトランスポートトラックの一端がパレットの一つのパレット層に接続され、他端が前記搬出メイントランスポートトラックに接続される、ステップと、
をさらに備える、請求項１１に記載の方法。
【請求項１４】
搬入トランスポートトラックにおけるいずれの搬入サブトランスポートトラックと搬入メイントランスポートトラックとの接続部位にある第２ラベルスキャナーによりスキャンされた、前記搬入メイントランスポートトラックで運ばれている貨物のラベルを受信するように構成される受信手段であって、前記搬入トランスポートトラックは、搬入メイントランスポートトラックと複数の搬入サブトランスポートトラックを備え、各前記搬入サブトランスポートトラックは多層パレットの一つの層に対応しており、いずれの搬入サブトランスポートトラックの一端がパレットの一つの層における貨物一時貯留エリアに接続され、他端が前記搬入メイントランスポートトラックに接続される、受信手段と、
前記貨物に対応する保管用のパレット層が該搬入サブトランスポートトラックに対応しているか否かを前記ラベルに基づいて判定するように構成される判定手段と、
前記貨物の保管用のパレット層と該搬入サブトランスポートトラックとが対応していると判定されたことに応答して、該搬入サブトランスポートトラックと搬入メイントランスポートトラックとの接続部位に設置される分流装置が前記貨物を該搬入サブトランスポートトラックに分流するように前記分流装置に指令を送信するように構成される第１送信手段と、
前記搬入サブトランスポートトラックに対応するパレット層の貨物一時貯留エリアに設置される第３ラベルスキャナーによりスキャンされた、前記搬入サブトランスポートトラックで運ばれている貨物のラベルを受信したことに応答して、該搬入サブトランスポートトラックに対応するシャトルトロリーに対して、前記貨物を貨物一時貯留エリアから前記貨物に対応する貨物保管エリアに搬送する指令を送信するように構成される第２送信手段と、
を備える貨物輸送装置。
【請求項１５】
前記装置は、出庫手段をさらに備え、
前記出庫手段は、
貨物が保管されるパレット層及び貨物保管エリアを備える前記貨物の保管位置を含む前記貨物の出庫指令を受信することと、
前記パレット層に対応するシャトルトロリーに対して、前記貨物を前記貨物保管エリアから、搬出トランスポートトラックの、前記パレット層に接続した搬出サブトランスポートトラックに搬送する指令を送信することであって、前記搬出トランスポートトラックは、搬出メイントランスポートトラックと複数の搬出サブトランスポートトラックを備え、各搬出サブトランスポートトラックはパレットの一つのパレット層に対応しており、いずれの搬出サブトランスポートトラックの一端がパレットの一つのパレット層に接続され、他端が前記搬出メイントランスポートトラックに接続される、ことと、
を行うように構成される、請求項１４に記載の装置。
【請求項１６】
一つ又は複数のプロセッサと、
一つ又は複数のプログラムを記憶するための記憶装置と、を備えるサーバーであって、
前記一つ又は複数のプログラムが前記一つ又は複数のプロセッサによって実行される時、前記一つ又は複数のプロセッサに請求項１２又は１３に記載の方法を実現させるサーバー。
【請求項１７】
コンピュータプログラムが記憶されるコンピュータ可読記憶媒体であって、
該プログラムがプロセッサによって実行される時、請求項１２又は１３に記載の方法を実現するコンピュータプログラムが記憶されるコンピュータ可読記憶媒体。
【発明の詳細な説明】
【技術分野】
【０００１】
［関連出願の相互参照］
本出願は、２０１７年１２月２０日に提出された、出願番号が２０１７１１３８２４７７．０で、出願人が北京京東尚科信息技術有限公司及び北京京東世紀貿易有限公司で、発明の名称が「貨物輸送システム、方法及び装置」である中国特許出願に基づく優先権を主張し、当該特許出願の全文を引用により本出願に組み込む。
【０００２】
本出願の実施形態は自動制御の技術分野に関し、具体的には、物流設備の制御の技術分野、特に、貨物輸送システム、方法及び装置に関する。
【背景技術】
【０００３】
物流業界の急速な発展に伴い、高密度で高度に自動化された倉庫保管方式は物流保管システムの構築において大きな傾向になりつつある。この傾向の下で、高密度な倉庫保管は急速に発展している。高密度な倉庫保管の一種として、シャトルトロリーを用いた多層倉庫保管システムは益々多く使用されている。
【０００４】
今は、シャトルトロリーを用いた多層倉庫保管システムは、主に、多層のパレット、各層に設置されるシャトルトロリー、昇降装置及び制御システムを備える。実際の応用で、シャトルトロリーと昇降装置が協働して貨物の出庫、入庫の操作を完成する。貨物を入庫させる必要がある時、例えば、昇降装置で貨物を地面から所定のパレットの指定された位置に持ち上げて、シャトルトロリーで貨物をそのパレットの指定された位置から保管エリアに搬送する。貨物を出庫させる必要がある時、例えば、シャトルトロリーで貨物を保管エリアからその貨物の保管エリアの所在のパレットの一つの指定された位置に搬送し、昇降装置で貨物をその指定された位置から地面に搬送する。
【発明の概要】
【０００５】
本出願の実施形態は貨物輸送のためのシステム、方法及び装置を提供する。
【０００６】
第１方面では、本出願の実施形態は、パレットとの間で貨物輸送を行うための貨物輸送システムであって、パレットは複数のパレット層を備え、各パレット層は貨物一時貯留エリアと複数の貨物保管エリアを備え、該システムは、パレットに貨物を輸送するための搬入トランスポートトラックと、一つのパレット層における貨物一時貯留エリアと貨物保管エリアとの間で貨物を搬送するためのシャトルトロリーと、を備え、搬入トランスポートトラックは搬入メイントランスポートトラックと複数の搬入サブトランスポートトラックを備え、各搬入サブトランスポートトラックはパレットの一つのパレット層に対応しており、いずれの搬入サブトランスポートトラックの一端がパレットの一つのパレット層における貨物一時貯留エリアに接続され、他端が搬入メイントランスポートトラックに接続される、貨物輸送システム、を提供する。
【０００７】
第２方面では、本出願の実施形態は、貨物輸送方法を提供し、前記方法は、搬入トランスポートトラックにおけるいずれの搬入サブトランスポートトラックと搬入メイントランスポートトラックとの接続部位にある第１ラベルスキャナーによりスキャンされた、搬入メイントランスポートトラックで運ばれている貨物のラベルを受信するステップであって、搬入トランスポートトラックは、搬入メイントランスポートトラックと複数の搬入サブトランスポートトラックを備え、各搬入サブトランスポートトラックが多層パレットの一つのパレット層に対応しており、いずれの搬入サブトランスポートトラックの一端が、パレットの一つのパレット層における貨物一時貯留エリアに接続され、他端が搬入メイントランスポートトラックに接続される、ステップと、ラベルに基づいて貨物に対応する事前設定された保管用のパレット層が、該搬入サブトランスポートトラックに対応するか否かを判定するステップと、貨物の事前設定された保管用のパレット層と該搬入サブトランスポートトラックとが対応していると判定されたことに応答して、該搬入サブトランスポートトラックと搬入メイントランスポートトラックとの接続部位に設置される分流装置が貨物を該搬入サブトランスポートトラックに分流するように分流装置に指令を送信するステップと、搬入サブトランスポートトラックに対応するパレット層の貨物一時貯留エリアに設置される第３ラベルスキャナーによりスキャンした、搬入サブトランスポートトラックで運ばれている貨物のラベルを受信したことに応答して、該搬入サブトランスポートトラックに対応するシャトルトロリーに、貨物を貨物一時貯留エリアから貨物に対応する貨物保管エリアに搬送する指令を送信するステップと、を備える。
【０００８】
第３方面では、本出願の実施形態は、貨物輸送装置を提供し、該装置は、搬入トランスポートトラックにおけるいずれの搬入サブトランスポートトラックと搬入メイントランスポートトラックとの接続部位での第１ラベルスキャナーによりスキャンされた、搬入メイントランスポートトラックで運ばれている貨物のラベルを受信するように構成される受信手段であって、搬入トランスポートトラックは、搬入メイントランスポートトラックと複数の搬入サブトランスポートトラックを備え、各搬入サブトランスポートトラックは多層パレットの一つのパレット層に対応しており、いずれの搬入サブトランスポートトラックの一端がパレットの一つのパレット層における貨物一時貯留エリアに接続され、他端が搬入メイントランスポートトラックに接続される、受信手段と、ラベルに基づいて、貨物に対応する事前設定されたパレット層が該搬入サブトランスポートトラックに対応するか否かを判定するように構成される判定手段と、貨物の事前設定されたパレット層と該搬入サブトランスポートトラックとが対応していると判定されたことに応答して、該搬入サブトランスポートトラックと搬入メイントランスポートトラックとの接続部位に設置される分流装置が貨物を該搬入サブトランスポートトラックに分流するように分流装置に指令を送信するように構成される第１送信手段と、搬入サブトランスポートトラックに対応するパレット層の貨物一時貯留エリアに設置される第３ラベルスキャナーによりスキャンした、搬入サブトランスポートトラックで運ばれている貨物のラベルを受信したことに応答して、該搬入サブトランスポートトラックに対応するシャトルトロリーに、貨物を貨物一時貯留エリアから貨物に対応する貨物保管エリアに搬送する指令を送信するように構成される第２送信手段と、を備える。
【０００９】
第４方面では、本出願の実施形態はサーバーを提供し、該サーバーは、一つ又は複数のプロセッサと、一つ又は複数のプログラムを記憶するための記憶装置と、を備え、上記一つ又は複数のプログラムが上記一つ又は複数のプロセッサによって実行される時、上記一つ又は複数のプロセッサに第２方面に記載された方法を実現させる。
【００１０】
第５方面では、本出願の実施形態はコンピュータプログラムが記憶されるコンピュータ可読記憶媒体であって、該コンピュータプログラムがプロセッサによって実行される時、第２方面に記載の方法を実現するコンピュータ可読記憶媒体を提供する。
【００１１】
本出願の実施形態で提供される貨物輸送システム、方法及び装置は、搬入トランスポートトラックを使用してパレットに貨物を輸送し、シャトルトロリーを介して貨物一時貯留エリアと貨物保管エリアの間で貨物を輸送することで、トランスポートトラックの、貨物を効率的に輸送する能力を有効に利用し、貨物とパレットの間での輸送の效率が向上される。
【００１２】
いくつかの実施形態では、貨物輸送システムは、搬出トランスポートトラックをさらに備え、貨物輸送システムは搬入トランスポートトラックからパレットに貨物を輸送すると同時に、搬出トランスポートトラックで外部へ貨物を搬出することができる。パレットに保管される貨物の輸送速度が高まれることで、パレットの利用率が向上される。
【００１３】
以下の図面を参照してなされる非限定的な実施形態に対する詳細な説明により、本出願の他の特徴、目的及び利点がより明らかになる。
【図面の簡単な説明】
【００１４】
【図１】図１は、本出願に係る貨物輸送システムの平面概略図である。
【図２】図２は、本出願に係る搬入トランスポートトラック／搬出トランスポートトラックの側面視における構造概略図である。
【図３】図３は、本出願に係る搬入トランスポートトラック／搬出トランスポートトラックの他の側面視における構造概略図である。
【図４】図４は、本出願に係る貨物輸送システムの他の実施形態の平面概略図である。
【図５】図５は、本出願に係る貨物輸送システムのもう一つの実施形態の平面概略図である。
【図６】図６は、本出願に係る貨物輸送システムのさらなる一つの実施形態の平面概略図である。
【図７】図７は、本出願に係る貨物輸送方法の一実施形態のフローチャートである。
【図８】図８は、本出願に係る貨物輸送装置の一実施形態の構造概略図である。
【図９】図９は、本出願の実施形態を実現するためのサーバーに適するコンピューターシステムの構造概略図である。
【発明を実施するための形態】
【００１５】
次に、添付の図面及び実施形態を参照しながらさらに本出願を詳細に説明する。本明細書に記載される特定の実施形態は、本出願を限定するものではなく、関連する発明を説明するためのものに過ぎないことを理解されたい。また、説明の便宜上、発明に関連する部分のみが図面に示されている。
【００１６】
なお、矛盾が生じない場合、本出願の実施形態及び実施形態の特徴は互いに組み合わせることができる。以下、図面を参照しながら実施形態を踏まえて、本出願を詳細に説明する。
【００１７】
図１を参照し、図１は本出願に係る貨物輸送システムの平面概略図１００である。
【００１８】
図１に示されるように、貨物輸送システムは搬入トランスポートトラック１２とシャトルトロリー１３を備えることができる。
【００１９】
貨物輸送システムは、パレット１１との間で貨物輸送を行うために使用される。
【００２０】
パレット１１は、貨物を保管するための様々なタイプのパレットであってもいい。パレット１１は、例えば、物流倉庫の中に設置されることができる。パレット１１は、ラック式構造物であり、倉庫の空間を充分に利用して、倉庫の収容能力を向上することができる。パレットは複数のパレット層を有することができる。各パレット層は貨物を保管するための複数の貨物保管エリアを備える。また、パレットの各層には、貨物を一時的に保管するための貨物一時貯留エリアを設置できる。
【００２１】
搬入トランスポートトラック１２はパレット１１に貨物を輸送するためのものである。搬入トランスポートトラック１２は搬入メイントランスポートトラック１２１と複数の搬入サブトランスポートトラック１２２を備えることができる。各搬入サブトランスポートトラック１２２はパレット１１の一つの層に対応することができる。いくつかの応用シナリオにおいて、各搬入サブトランスポートトラック１２２はパレット１１の一つのパレット層に一対一対応することができる。他のいくつかの応用シナリオにおいて、少なくとも二つの搬入サブトランスポートトラック１２２はパレット１１の同パレット層に対応することができる。いずれの搬入サブトランスポートトラック１２２の一端がパレット１１の一つのパレット層の貨物一時貯留エリアに接続され、他端が搬入メイントランスポートトラック１２１に接続されることができる。すなわち、貨物は、搬入サブトランスポートトラック１２２から、該搬入サブトランスポートトラック１２２に接続するパレット層の貨物一時貯留エリアに直接輸送されることができる。
【００２２】
シャトルトロリー１３は様々なタイプのシャトルトロリーであってもよく、シャトルトロリー１３はパレット１１の一つのパレット層における貨物一時貯留エリアと貨物保管エリアの間で貨物を輸送するためのものである。各パレット層に対して、シャトルトロリー１３は該パレット層の貨物一時貯留エリアと貨物保管エリアの間で貨物を輸送することができる。いくつかの応用シナリオにおいて、各パレット層は一つのシャトルトロリー１３に対応することができ、各パレット層に対応するシャトルトロリー１３は該パレット層の貨物一時貯留エリアと貨物保管エリアの間で貨物を輸送することができる。
【００２３】
本実施形態では、搬入トランスポートトラック１２の搬入メイントランスポートトラック１２１は貨物を搬入サブトランスポートトラック１２２に輸送することができる。そして、搬入サブトランスポートトラック１２２は貨物をパレット１１の一つのパレット層における貨物一時貯留エリアに輸送する。シャトルトロリー１３は貨物を貨物一時貯留エリアから貨物保管エリアに輸送する。
【００２４】
本実施形態で提供される貨物輸送システムは、搬入トランスポートトラックを使用して各パレット層に貨物を輸送することで、各パレット層に輸送される複数の貨物は同時に搬入トランスポートトラックで輸送されることができ、貨物輸送システムの、パレットへの貨物輸送效率が向上した。また、各パレット層に貨物一時貯留エリアを設置し、シャトルトロリーは各パレット層の貨物一時貯留エリア及び貨物保管エリアの間で貨物を輸送することで、貨物輸送システムは同一のパレット層へ貨物を連続輸送することができ、パレットへの貨物輸送效率がさらに向上した。
【００２５】
本実施形態のいくつかの選択可能な実施形態では、パレット１１へ貨物を置く時、貨物ごとは一つの貨物保管エリアに対応できる。搬入トランスポートトラック１２に貨物を輸送する前に、貨物に対して保管用のパレット層及び貨物保管エリアを割り当てることができる。いくつかの応用シナリオにおいて、貨物を保管するパレット層と貨物保管エリアとに対応するコードを、貨物に対応するラベルに設置されることができる。貨物が搬入トランスポートトラック１２に置く前に、ラベルを相応する貨物に貼り付けることができる。ここで、ラベルは貨物の識別情報と、予め指定された貨物に対応するパレット層及び貨物保管エリアとを識別できる。ラベルはバーコード形式のラベルであり得、ＱＲコード（登録商標）形式のラベルであってもよく、ここでは限定しない。
【００２６】
いくつかの選択可能な実施形態では、いずれの搬入サブトランスポートトラック１２２と搬入メイントランスポートトラック１２１との接続部位には第１ラベルスキャナー（図示せず）を設置できる。第１ラベルスキャナーは、搬入メイントランスポートトラック１２１に輸送されている貨物のラベルをスキャンして識別し、ラベルに対する識別結果に基づいて貨物に対応するパレット層を確定することができ、それによって、この貨物が進入すべき搬入サブトランスポートトラック１２２を確定する。これらの選択可能な実施形態では、搬入サブトランスポートトラック１２２と搬入メイントランスポートトラック１２１との接続部位に、貨物のラベルをスキャンして識別する第１ラベルスキャナーを設置し、保管用のパレット層と貨物保管エリアが指定された貨物のいずれに対して、第１ラベルスキャナーは、ラベルから貨物に対応する保管用のパレット層を識別し、この保管用のパレット層が第１ラベルスキャナー所在のパレット層と同じであるか否かを判断し、同じの場合には、貨物に対応する搬入サブトランスポートトラック１２２が第１ラベルスキャナーに接続される搬入サブトランスポートトラック１２２であると確定する。
【００２７】
本実施形態のいくつかの選択可能な実施形態では、いずれの搬入サブトランスポートトラック１２２と搬入メイントランスポートトラック１２１との接続部位には分流装置（図示せず）を設置できる。分流装置は、搬入メイントランスポートトラック１２１に輸送されている貨物を該貨物に対応する搬入サブトランスポートトラック１２２に分流させる。
【００２８】
いくつかの応用シナリオにおいて、上記第１ラベルスキャナーは、搬入メイントランスポートトラック１２１にある貨物に対応するパレット層が、第１ラベルスキャナー自体に接続される搬入サブトランスポートトラック１２２に対応するパレット層であると確定した後、第１ラベルスキャナー自体に接続される搬入サブトランスポートトラック１２２と搬入メイントランスポートトラック１２１との接続部位に設置される上記分流装置を、貨物を搬入メイントランスポートトラック１２１から上記搬入サブトランスポートトラック１２２に分流するように起動させることができる。具体的には、例えば、第１ラベルスキャナーは、貨物に対応する保管用のパレット層と第１ラベルスキャナー自体に接続される搬入サブトランスポートトラック１２２に対応するパレット層とが同じであると確定した後、貨物を搬入メイントランスポートトラック１２１から、貨物に対応するパレット層に接続される搬入サブトランスポートトラック１２２に分流させるように上記分流装置を起動させるパルス信号を発生させることができる。
【００２９】
本実施形態のいくつかの選択可能な実施形態では、貨物輸送システムは搬出トランスポートトラック１４をさらに備えることができる。図１に示されるように、搬入トランスポートトラック１２と搬出トランスポートトラック１４はそれぞれ、パレット１１の、貨物一時貯留エリアから貨物保管エリアへ貨物を輸送する方向ＡＡ’に沿う反対の両端に設置され得る。
【００３０】
搬出トランスポートトラック１４はパレット１１から貨物を搬出するためのものである。ここで、搬出トランスポートトラック１４は搬出メイントランスポートトラック１４１と複数の搬出サブトランスポートトラック１４２とを備えることができる。各搬出サブトランスポートトラック１４２はパレット１１の一つの層に接続され、他端が搬出メイントランスポートトラック１４１に接続される。それで、貨物がパレット１１から搬出される必要がある時、シャトルトロリー１３は貨物を、その保管エリアからその保管エリアの所在のパレット層に対応する搬出サブトランスポートトラック１４２へ輸送して、搬出サブトランスポートトラック１４２から搬出メイントランスポートトラック１４１に輸送し、搬出メイントランスポートトラック１４１から予め指定された位置に輸送することができる。そうすると、貨物輸送システムは、搬入トランスポートトラック１２からパレット１１に貨物を輸送すると同時に、搬出トランスポートトラック１４を介してパレット１１から外部へ貨物を搬出することができる。パレットに保管されている貨物の輸送速度が高まれ、パレットの利用率が向上される。
【００３１】
本実施形態のいくつかの選択可能な実施形態では、シャトルトロリー１３はダブルステーションシャトルトロリーであってもよい。シャトルトロリー１３の各ステーションは少なくとも一つの貨物を同時に収容できる。シャトルトロリー１３がダブルステーションシャトルトロリーであり、各ステーションが少なくとも一つの貨物を同時に収容できるので、シャトルトロリーは複数の貨物を同時に輸送でき、貨物輸送システムとパレットの間での貨物輸送效率を向上することに役立つ。
【００３２】
本実施形態のいくつかの選択可能な実施形態では、本出願に係る搬入トランスポートトラック／搬出トランスポートトラックの一つの選択可能な実施形態の側面視における構造概略図２００を示す図２を参照されたい。図２に示すトランスポートトラックは搬入トランスポートトラックであってもよく、搬出トランスポートトラックであってもよい。
【００３３】
以下では、搬入トランスポートトラックを例として説明する。
【００３４】
搬入トランスポートトラック１２の搬入メイントランスポートトラック１２１は複数の首尾接続のトランスポートセグメント１５を備えることができる。各トランスポートセグメント１５は相互接続される第１サブトランスポートセグメント１５１と第２サブトランスポートセグメント１５２を備える。第１サブトランスポートセグメント１５１は水平面と平行であり得る。第２サブトランスポートセグメント１５２は水平面と所定の角度をなすことができる。図２に示されるように、いずれのトランスポートセグメント１５の第１サブトランスポートセグメント１５１は、一つの搬入サブトランスポートトラック１２２に接続できる。任意の隣り合う二つのトランスポートセグメント１５のうちの一方のトランスポートセグメント１５の第１サブトランスポートセグメント１５１は他方のトランスポートセグメントの第２サブトランスポートセグメント１５２に接続される。図２に示すトランスポートトラックが搬出トランスポートトラックである場合、いずれのトランスポートセグメント１５の第１サブトランスポートセグメント１５１は一つの搬出サブトランスポートトラック１４２に接続できることを理解されたい。
【００３５】
本出願に係る搬入トランスポートトラック／搬出トランスポートトラックの他の選択可能な実施形態の側面視における構造概略図３００である図３を参照されたい。図３に示すトランスポートトラックは搬入トランスポートトラックであってもよく、搬出トランスポートトラックであってもよい。
【００３６】
以下では、搬入トランスポートトラックを例として説明する。
【００３７】
搬入トランスポートトラック１２の搬入メイントランスポートトラック１２１は、首尾接続のトランスポートセグメント１５を複数備えることができる。各トランスポートセグメント１５は、相互接続の第１サブトランスポートセグメント１５１と第２サブトランスポートセグメント１５２を備える。第１サブトランスポートセグメント１５１は水平面と平行であり得る。第２サブトランスポートセグメント１５２は水平面と所定の角度をなすことができる。図３に示されるように、いずれのトランスポートセグメント１５の第１サブトランスポートセグメント１５１は少なくとも二つの搬入サブトランスポートトラック１２２に接続される。任意の隣り合う二つのトランスポートセグメント１５のうちの一方のトランスポートセグメント１５の第１サブトランスポートセグメント１５１は他方のトランスポートセグメントの第２サブトランスポートセグメント１５２に接続される。トランスポートトラックが搬出トランスポートトラックである場合、いずれのトランスポートセグメント１５の第１サブトランスポートセグメント１５１は少なくとも二つの搬出サブトランスポートトラック１４２に接続できることを理解されたい。
【００３８】
いくつかの応用シナリオにおいて、少なくとも二つの搬入サブトランスポートトラック／搬出サブトランスポートトラックは、同一のパレット層に接続することができる。それで、同一のパレット層に接続する少なくとも二つの搬入サブトランスポートトラック／搬出サブトランスポートトラックは同一の第１サブトランスポートセグメント１５１に同時に接続できる。いくつかの他の応用シナリオにおいて、異なるパレット層に接続する少なくとも二つの搬入サブトランスポートトラック／搬出サブトランスポートトラックは、同一の第１サブトランスポートセグメント１５１に同時に接続できる。
【００３９】
実際の応用では、搬入トランスポートトラックと搬出トランスポートトラックを設置する実際の場所の空間の大きさに応じて、図２又は図３に示す搬入トランスポートトラック及び／又は搬出トランスポートトラックを選択することができる。
【００４０】
本出願の貨物輸送システムの他の実施形態の一平面概略図４００を示す図４を参照されたい。
【００４１】
図４に示すように、貨物輸送システムは、搬入トランスポートトラック１２と、搬出トランスポートトラック１４と、シャトルトロリー１３とを備えることができる。
【００４２】
貨物輸送システムは、パレット１１との間で貨物輸送を行うためのものである。
【００４３】
搬入トランスポートトラック１２は、搬入メイントランスポートトラック１２１と複数の搬入サブトランスポートトラック１２２を備えることができる。各搬入サブトランスポートトラック１２２は、パレット１１の一つのパレット層に対応することができる。任意の搬入サブトランスポートトラック１２２の一端がパレット１１の一つのパレット層における貨物一時貯留エリアに接続し、他端が搬入メイントランスポートトラック１２１に接続することができる。いずれの搬入サブトランスポートトラック１２２と搬入メイントランスポートトラック１２１との接続部位には第１ラベルスキャナー（図示せず）と分流装置（図示せず）を設置できる。
【００４４】
搬出トランスポートトラック１４は、パレット１１から貨物を搬出するためのものである。ここで、搬出トランスポートトラック１４は、搬出メイントランスポートトラック１４１と複数の搬出サブトランスポートトラック１４２とを備えることができる。各搬出サブトランスポートトラック１４２はパレット１１の一つのパレット層に接続され、他端が搬出メイントランスポートトラック１４１に接続される。
【００４５】
シャトルトロリー１３は、隣り合う二つのパレット１１の同じ高さのパレット層の間に設置されたトランスポートトラック内に設置されることができる。シャトルトロリー１３は上記トランスポートトラックを走行できる。
【００４６】
本実施形態で図４に示されるように、搬入トランスポートトラック１２と搬出トランスポートトラック１４はそれぞれ同一のパレットに接続でき、搬入トランスポートトラック１２と搬出トランスポートトラック１４それぞれは、シャトルトロリー１３の、隣り合う二つのパレット１１の同じ高さのパレット層の間での走行軌跡からなる線分１３１の反対の両端に設置されることができる。
【００４７】
本実施形態では、貨物に貼り付けられるラベルは、貨物の識別情報と、貨物を保管する保管位置とを示す識別子を含むことができる。例えば、貨物に貼り付けられるラベルは、この貨物がどのパレットのどのパレット層におけるどの貨物保管エリアで保管されているのかを示すための識別子を含むことができる。パレット１１へ貨物を輸送する時、貨物は搬入メイントランスポートトラック１２１に置くことができる。貨物に上記ラベルが貼り付けられることができる。貨物は、いずれの搬入サブトランスポートトラック１２２と搬入メイントランスポートトラック１２１の接続部位に輸送された時、該搬入サブトランスポートトラック１２２と搬入メイントランスポートトラック１２１との接続部位にある第１ラベルスキャナーは、この貨物にあるラベルをスキャンして、ラベルから貨物に対応するパレット、パレット層、及び貨物保管エリアを識別することができる。第１ラベルスキャナーはラベルで示されたパレット層に基づいて、貨物に対応する搬入サブトランスポートトラック１２２が、第１ラベルスキャナー自体に接続される搬入サブトランスポートトラック１２２であると確定した時、貨物を搬入メイントランスポートトラック１２１から貨物に対応する搬入サブトランスポートトラック１２２に分流させる分流装置を起動させることができる。貨物が貨物に対応するパレット層の貨物一時貯留エリアに到達した後、シャトルトロリー１３により貨物のラベルで示された保管位置に基づいて貨物を貨物一時貯留エリアから対応するパレットの貨物保管エリアに輸送する。貨物をパレット１１から外部へ搬出する時、シャトルトロリー１３は、一度の貨物輸送過程で、隣り合う二つのパレット１１の複数の保管エリアにある異なる貨物を搬出トランスポートトラック１４に輸送して搬出することができる。
【００４８】
本実施形態で提供された貨物輸送システムは、隣り合う二つのパレットとの間で貨物の輸送を同時に行うことができ、貨物輸送システムの利用率を向上させることができる。
【００４９】
本出願の貨物輸送システムのもう一つの実施形態の他の平面概略図５００を示す図５を参照されたい。
【００５０】
図４に示す貨物輸送システムと同じ、貨物輸送システムは、搬入トランスポートトラック１２と、搬出トランスポートトラック１４と、シャトルトロリー１３と、を備えることができる。
【００５１】
貨物輸送システムは、隣り合う二つのパレット１１との間で貨物を輸送するためのものである。シャトルトロリー１３は隣り合う二つのパレットの同じ高さのパレット層の間に設置されたトランスポートトラックを走行できる。
【００５２】
図４に示す実施形態との相違点は、図５に示す実施形態で、搬入トランスポートトラック１２と搬出トランスポートトラック１４はそれぞれ、隣り合う二つのパレット１１のうちの一方のパレットに一対一対応して接続され、搬入トランスポートトラック１２と搬出トランスポートトラック１４はシャトルトロリー１３の走行軌跡からなる線分１３１の同一端に設置される。
【００５３】
実際の応用では、搬入トランスポートトラック、搬出トランスポートトラック及びパレットを設置する実際の場所の空間の大きさに応じて、図４又は図５に示す搬入トランスポートトラック、及び搬出トランスポートトラックの設置方式を選択することができる。
【００５４】
続いて、本出願の貨物輸送システムのもう一つの実施形態の平面概略図６００を示す図６を参照されたい。
【００５５】
貨物輸送システムは、搬入トランスポートトラック２２、シャトルトロリー２３、搬出トランスポートトラック２４及びサーバー２６を備える。
【００５６】
貨物輸送システムは、パレット２１との間で貨物輸送を行うことができる。パレット２１は複数のパレット層を備えることができる。各パレット層は貨物一時貯留エリアと複数の貨物保管エリアを備えることができる。
【００５７】
サーバー２６は、様々なサービスを提供するサーバーであってもよく、例えば、貨物に対応する保管位置を確定し、貨物を貨物に対応する保管位置に輸送するように搬入トランスポートトラックとシャトルトロリーを制御することができる。本実施形態では、保管位置はパレット層及び貨物保管エリアを含むことができる。
【００５８】
搬入トランスポートトラック２２はパレットに貨物を輸送することができ、搬入トランスポートトラック２２は搬入メイントランスポートトラック２２１と複数の搬入サブトランスポートトラック２２２を備える。各搬入サブトランスポートトラック２２２はパレット２１の一つの層に対応する。いずれの搬入サブトランスポートトラック２２２の一端が、一つのパレット層における貨物一時貯留エリアに接続され、他端が搬入メイントランスポートトラック２２１に接続される。
【００５９】
シャトルトロリー２３は、一つのパレット層における貨物一時貯留エリアと貨物保管エリアの間で貨物を輸送することができる。
【００６０】
搬出トランスポートトラック２４は貨物をパレット２１から搬出することができる。搬出トランスポートトラック２４は搬出メイントランスポートトラック２４１と複数の搬出サブトランスポートトラック２４２と、を備えることができる。各搬出サブトランスポートトラック２４２はパレット２１の一つの層に対応する。いずれの搬出サブトランスポートトラック２４２の一端がパレット２１の一つの層に接続され、他端が搬出メイントランスポートトラック２４１に接続される。本実施形態では、搬入トランスポートトラック２２と搬出トランスポートトラック２４それぞれは、パレット２１の、貨物一時貯留エリアから貨物保管エリアに貨物を輸送する方向ＢＢ’に沿う反対の両端に設置される。
【００６１】
本実施形態では、貨物ごとは一つの貨物保管エリアに対応することができる。いくつかの応用シナリオにおいて、貨物を搬入トランスポートトラックに搬入する前に、上記サーバー２６は貨物に対して一つの保管位置を割り当てることができる。貨物の識別情報及びその保管位置を識別するためのラベルを相応する貨物に貼り付けることができる。いくつかの他の応用シナリオにおいて、貨物に貼り付けられるラベルは貨物の識別情報のみを識別するために使用されてもよい。貨物を搬入トランスポートトラック２２に置く時、サーバーは貨物に対して保管位置を割り当てる。
【００６２】
本実施形態では、いずれの搬入サブトランスポートトラック２２２と搬入メイントランスポートトラック２２１との接続部位に、第２ラベルスキャナー（図示せず）が設置される。第２ラベルスキャナーは搬入メイントランスポートトラックで運ばれている貨物のラベルをスキャンするためのものであり、スキャンしたラベルを上記サーバー２６に送信し、それによって、サーバー２６はスキャンしたラベルに基づいて、貨物を該搬入サブトランスポートトラック２２２に輸送するか否かを判断する。すなわち、いずれの搬入サブトランスポートトラック２２２と搬入メイントランスポートトラック２２１の接続部位に設置される第２ラベルスキャナーは、スキャンした、搬入メイントランスポートトラック２２１に輸送されている貨物のラベルをサーバー２６に送信し、サーバー２６はラベル上の貨物の識別情報及び貨物の保管位置を識別して、貨物を該搬入サブトランスポートトラック２２２に輸送するか否かを判断する。
【００６３】
本実施形態のいくつかの選択可能な実施形態では、いずれの搬入サブトランスポートトラック２２２と搬入メイントランスポートトラック２２１との接続部位に、分流装置（図示せず）を設置してもよい。分流装置は搬入メイントランスポートトラック２２１に輸送されている貨物をこの貨物に対応する搬入サブトランスポートトラック２２２に分流させるように構成される。
【００６４】
本実施形態のいくつかの選択可能な実施形態では、いずれのパレット層の貨物一時貯留エリアに、第３ラベルスキャナー（図示せず）を設置できる。上記第３ラベルスキャナーは、搬入サブトランスポートトラック２２２から該パレット層の貨物一時貯留エリアに輸送される貨物のラベルをスキャンし、スキャンしたラベルで示された貨物の保管位置をサーバー２６に送信するように構成され得、それによって、サーバー２６は、スキャンしたラベルに基づいて、該パレット層に対応するシャトルトロリー２３を、貨物を該パレット層の貨物一時貯留エリアから貨物に対応する貨物保管エリアに輸送するように制御する。すなわち、一つのパレット層の貨物一時貯留エリアに設置される第３ラベルスキャナーは、搬入サブトランスポートトラック２２２から該パレット層の貨物一時貯留エリアに輸送される貨物のラベルをリアルタイムでスキャンし、スキャンした貨物のラベルをサーバー２６に送信することができる。サーバー２６は、貨物のラベルに基づいて、貨物の保管位置を識別できる。サーバー２６は、貨物の保管位置が示したパレット層に基づいて、該パレット層に対応するシャトルトロリー２３を、貨物を一時貯留エリアから取り出して貨物の保管位置が示した貨物保管エリアに輸送するように制御する。
【００６５】
本実施形態のいくつかの選択可能な実施形態では、搬入トランスポートトラック２２と搬出トランスポートトラック２４それぞれは同一のパレット２１に接続され得、搬入トランスポートトラック２２と搬出トランスポートトラック２４それぞれは、シャトルトロリー２３の、隣り合う二つのパレット２１の同じ高さのパレット層の間での走行軌跡からなる線分の反対の両端に設置され得る。これらの選択可能な実施形態では、貨物に貼り付けられるラベルは、貨物の識別情報、及び貨物を保管するための保管位置を示す識別子を含む。ここで、貨物の保管位置の識別子は、例えば、この貨物がどのパレットのどのパレット層におけるどの貨物保管エリアに保管されているのかを示す識別子である。
【００６６】
本実施形態のいくつかの選択可能な実施形態では、搬入トランスポートトラック２２と搬出トランスポートトラック２４それぞれは、隣り合う二つのパレット２１のうちの一方のパレットに一対一対応して接続され、搬入トランスポートトラック２２と搬出トランスポートトラック２４は、シャトルトロリー２３の、隣り合う二つのパレット２１の同じ高さのパレット層の間での走行軌跡からなる線分の同一端に設置される。これらの選択可能な実施形態では、貨物に貼り付けられるラベルは、貨物の識別情報を示す識別子と、貨物を保管するための保管位置を示す識別子を含む。ここでの貨物の保管位置の識別子は、例えば、この貨物がどのパレットのどのパレット層におけるどの貨物保管エリアに保管されているのかを示す識別子である。
【００６７】
本実施形態のいくつかの選択可能な実施形態では、シャトルトロリー２３はダブルステーションシャトルトロリーであってもよい。シャトルトロリー２３のステーションごとには少なくとも一つの貨物を同時に収容できる。シャトルトロリー２３がダブルステーションシャトルトロリーであり得、各ステーションには少なくとも一つの貨物が同時に収容できるため、シャトルトロリーは複数の貨物を同時に輸送できるようになり、貨物輸送システムの貨物輸送效率の向上に役立つ。
【００６８】
図１に示す貨物輸送システムと比べて、本実施形態により提供された貨物輸送システムは、サーバーによりパレットに貨物を輸送することと、パレットから貨物を搬出することと、を制御する。サーバーが貨物のパレットへの搬入・搬出を制御するため、パレットの各貨物保管エリアの状態をリアルタイムに管理でき、貨物に対する管理を強化することと、パレットの各貨物保管エリアの使用率を向上させることに役立つ。
【００６９】
本出願の貨物輸送方法の一実施形態のフローチャート７００である図７を参照されたい。
【００７０】
図７に示されるように、上記貨物輸送方法は、次のステップを含む。
【００７１】
ステップ７０１では、搬入トランスポートトラックのいずれの搬入サブトランスポートトラックと搬入メイントランスポートトラックとの接続部位にある第２ラベルスキャナーによりスキャンされた、搬入メイントランスポートトラックで運ばれている貨物のラベルを受信する。
【００７２】
本実施形態では、搬入トランスポートトラックは搬入メイントランスポートトラックと複数の搬入サブトランスポートトラックを備える。各搬入サブトランスポートトラックは、多層パレットの一つの層に対応する。例えば、各搬入サブトランスポートトラックは、複数のパレット層のうちの一つのパレット層に一対一対応することができる。また、例えば、少なくとも二つの搬入サブトランスポートトラックは、複数のパレット層のうちの同一のパレット層に対応することができる。いずれの搬入サブトランスポートトラックの一端がパレットの一つのパレット層における貨物一時貯留エリアに接続され、他端が搬入メイントランスポートトラックに接続される。すなわち、貨物は、搬入サブトランスポートトラックからパレットの貨物一時貯留エリアに搬入されることができる。
【００７３】
本実施形態では、貨物輸送方法が実行される電子デバイス（例えば、図５に示すサーバー）は、有線接続の方式又は無線接続の方式で、搬入トランスポートトラック上のいずれの搬入サブトランスポートトラックと搬入メイントランスポートトラックとの接続部位での第２ラベルスキャナーによりスキャンされた、搬入メイントランスポートトラックで運ばれている貨物のラベルを受信することができる。ここで、ラベルは貨物の識別情報を含むことができる。いくつかの応用シナリオにおいて、ラベルはさらに貨物に対応する保管位置を含んでもよい。上記保管位置は、貨物に対応するパレット層と貨物保管エリアを含んでもよい。
【００７４】
貨物が搬入メイントランスポートトラックにおいて一つの搬入サブトランスポートトラック付近へ輸送された時に、該搬入サブトランスポートトラックと搬入メイントランスポートトラックの間での第２ラベルスキャナーは、この貨物上のラベルをスキャンして、スキャンしたラベルを上記電子デバイスに送信することができる。
【００７５】
ステップ７０２では、貨物に対応する事前設定された保管用のパレット層が該搬入サブトランスポートトラックに対応しているか否かをラベルに基づいて判定する。
【００７６】
ステップ７０１において、いずれの搬入サブトランスポートトラックと、搬入メイントランスポートトラックとの接続部位に設置される第２ラベルスキャナーによりスキャンされた貨物のラベルを受信した後、上記電子デバイスは、上記ラベルに基づいて貨物の識別情報を識別し、貨物に対してこの貨物に適した保管位置を割り当てることができる。上記電子デバイスは、上記貨物に対して割り当てたパレット層と、この第２ラベルスキャナーに接続した搬入サブトランスポートトラックに接続しているパレット層とは同じである場合に、貨物に対応するパレット層が該搬入サブトランスポートトラックに対応していると確定する。いくつかの応用シナリオにおいては、上記ラベルには、貨物に対して予め割り当てた保管位置をさらに含んでもよい。上記電子デバイスは、ラベル上の保管位置を識別することができ、ラベル上のパレット層とこの第２ラベルスキャナーに接続した搬入サブトランスポートトラックに接続しているパレット層とは同じである場合に、貨物に対応するパレット層が該搬入サブトランスポートトラックに対応していると確定する。
【００７７】
ステップ７０３では、貨物の保管用のパレット層が該搬入サブトランスポートトラックに対応していると確定されたことに応答して、該搬入サブトランスポートトラックと搬入メイントランスポートトラックとの接続部位に設置される分流装置に、貨物を該搬入サブトランスポートトラックに分流させるように指令を送信する。
【００７８】
上記電子デバイスは、貨物の保管用のパレット層が該搬入サブトランスポートトラックに対応していると判定された場合、該搬入サブトランスポートトラックと搬入メイントランスポートトラックとの接続部位に設置される分流装置に、貨物を該搬入サブトランスポートトラックに分流させる指令を送信する。分流装置は、上記電子デバイスにより送信された指令を受信した後、貨物をこの搬入サブトランスポートトラックに分流させる操作を実行する。貨物は、上記搬入サブトランスポートトラックで該搬入サブトランスポートトラックに接続するパレット層の貨物一時貯留エリアに輸送される。
【００７９】
ステップ７０４では、いずれの搬入サブトランスポートトラックに対応するパレット層の貨物一時貯留エリアに設置される第３ラベルスキャナーによりスキャンされた、該搬入サブトランスポートトラックから該パレット層の貨物一時貯留エリアに輸送した貨物のラベル、を受信したことに応答して、該搬入サブトランスポートトラックに対応するシャトルトロリーに対して、貨物を貨物一時貯留エリアから貨物に対応する貨物保管エリアに搬送する指令を送信する。
【００８０】
貨物がいずれの搬入サブトランスポートトラックで該搬入サブトランスポートトラックに接続したパレット層の貨物一時貯留エリアに輸送された時、該パレット層の貨物一時貯留エリアに設置される第３スキャナーは、この貨物のラベルをスキャンして、このラベルを上記電子デバイスに送信することができる。上記電子デバイスは、上記第３スキャナーによりスキャンされた貨物のラベルを受信した時、該搬入サブトランスポートトラックに対応するシャトルトロリーに、貨物を貨物一時貯留エリアから、この貨物に対応する貨物保管エリアに搬送する指令を送信することができる。
【００８１】
本実施形態のいくつかの選択可能な実施形態では、上記貨物輸送方法は、上記電子デバイスが貨物の出庫指令を受信することをさらに備え、その中、出庫指令は貨物の保管位置を備え、保管位置は貨物を保管しているパレット層及び貨物保管エリアを含む。上記電子デバイスは、出庫指令で指示されたパレット層に対応するシャトルトロリーに、貨物を貨物保管エリアから、搬出トランスポートトラックの、パレット層に接続した搬出サブトランスポートトラックに搬送する指令を送信する。搬出トランスポートトラックは、搬出メイントランスポートトラックと複数の搬出サブトランスポートトラックを備え、各搬出サブトランスポートトラックはパレットの一つのパレット層に対応しており、いずれの搬出サブトランスポートトラックの一端がパレットの一つのパレット層に接続され、他端が搬出メイントランスポートトラックに接続される。
【００８２】
本出願に係る貨物輸送装置の一実施形態の構造概略図８００である図８を参照されたい。
【００８３】
図８に示すように、貨物輸送装置は、受信手段８０１と、判定手段８０２と、第１送信手段８０３と、第２送信手段８０４とを備える。その中、受信手段８０１は、搬入トランスポートトラック上のいずれの搬入サブトランスポートトラックと搬入メイントランスポートトラックとの接続部位での第１ラベルスキャナーによりスキャンされた、搬入メイントランスポートトラックで運ばれている貨物のラベルを受信するように構成される。その中、搬入トランスポートトラックは搬入メイントランスポートトラックと複数の搬入サブトランスポートトラックを備え、各搬入サブトランスポートトラックは多層パレットの一つの層に対応しており、いずれの搬入サブトランスポートトラックの一端がパレットの一つの層における貨物一時貯留エリアに接続され、他端が搬入メイントランスポートトラックに接続される。判定手段８０２は、ラベルに基づいて貨物に対応する所定のパレット層が該搬入サブトランスポートトラックに対応しているか否かを判定するように構成される。第１送信手段８０３は、貨物の所定のパレット層が該搬入サブトランスポートトラックに対応していると判定されたことに応答して、該搬入サブトランスポートトラックと搬入メイントランスポートトラックとの接続部位に設置される分流装置に、貨物を該搬入サブトランスポートトラックに分流させる指令を送信するように構成される。第２送信手段８０４は、搬入サブトランスポートトラックに対応するパレット層の貨物一時貯留エリアに設置される第３ラベルスキャナーによりスキャンされた、搬入サブトランスポートトラックで運ばれている貨物のラベルを受信したことに応答して、該搬入サブトランスポートトラックに対応するシャトルトロリーに、貨物を貨物一時貯留エリアから貨物に対応する貨物保管エリアに搬送する指令を送信するように構成される。
【００８４】
本実施形態のいくつかの選択可能な実施形態では、上記貨物を輸送するための装置は出庫手段をさらに備え、出庫手段は、貨物の保管位置を含む貨物の出庫指令を受信するように構成される。保管位置は、貨物を保管するパレット層及び貨物保管エリアを含み、パレット層に対応するシャトルトロリーに、貨物を貨物保管エリアから搬出トランスポートトラックの、パレット層に接続した搬出サブトランスポートトラックに搬送する指令を送信する。その中、搬出トランスポートトラックは搬出メイントランスポートトラックと複数の搬出サブトランスポートトラックとを備え、各搬出サブトランスポートトラックはパレットの一つのパレット層に対応しており、いずれの搬出サブトランスポートトラックの一端がパレットの一つのパレット層に接続され、他端が搬出メイントランスポートトラックに接続される。
【００８５】
以下には、本出願の実施形態を実現するためのサーバーに適するコンピューターシステム９００の構造概略図を示す図９を参照されたい。図９に示すサーバーは、ただ一つの例に過ぎず、本出願の実施形態の機能と使用範囲に対してあらゆる制限を招かない。
【００８６】
図９に示されるように、コンピューターシステム９００は中央処理装置（ＣＰＵ、ＣｅｎｔｒａｌＰｒｏｃｅｓｓｉｎｇＵｎｉｔ）９０１を備え、この中央処理手段は読み出し専用メモリ（ＲＯＭ、ＲｅａｄＯｎｌｙＭｅｍｏｒｙ）９０２に記憶されたプログラム又は、記憶部９０６からランダムアクセスメモリ（ＲＡＭ、ＲａｎｄｏｍＡｃｃｅｓｓＭｅｍｏｒｙ）９０３にロードしたプログラムに基づいて、各種の適当な動作と処理を実行できる。ＲＡＭ９０３で、システム９００の操作に要する各種のプログラムとデータはさらに記憶されている。ＣＰＵ９０１、ＲＯＭ９０２及びＲＡＭ９０３はバス９０４で互いに接続される。入力／出力（Ｉ／Ｏ、Ｉｎｐｕｔ／Ｏｕｔｐｕｔ）インターフェース９０５もバス９０４に接続される。
【００８７】
Ｉ／Ｏインターフェース９０５には、ハードディスク等を備える記憶部９０６と、ＬＡＮ（ローカル・エリア・ネットワーク、Ｌｏｃａｌ  Ａｒｅａ  Ｎｅｔｗｏｒｋ）カード、モデムなどのネットワークインターフェースカードを備える通信部分９０７とが接続される。通信部９０７は、インターネットなどのネットワークを介して通信処理を行う。ドライバ９０８は、必要に応じてＩ／Ｏインターフェース９０５にも接続される。ドライバ９０８には、磁気ディスク、光ディスク、光磁気ディスク、半導体メモリなどのリムーバブルメディア９０９が必要に応じて実装されることで、このリムーバブルメディア９０９から読み出されたプログラムが必要に応じて記憶手段９０６にインストールされる。
【００８８】
特に、本開示の実施形態によれば、本明細書でフローチャートを参照して説明したプロセスは、コンピュータのソフトウェアプログラムとして実施されてもよい。例えば、本開示の実施形態は、コンピュータ可読媒体に記憶されるコンピュータプログラムを備えるコンピュータプログラム製品を含み、このコンピュータプログラムはフローチャートに示される方法を実行するためのコンピュータコードを備える。そのような実施形態では、このコンピュータプログラムは通信部９０７を介してネットワークからダウンロードされ、インストールされてもよく、及び／又はリムーバブルメディア９０９からインストールされてもよい。該コンピュータプログラムが中央処理装置（ＣＰＵ）９０１によって実行される時、本出願の方法で限定された上述の機能が実行される。なお、本出願におけるコンピュータ可読媒体は、コンピュータ可読信号媒体やコンピュータ可読記憶媒体やこれらの両者の任意の組み合わせであってもよい。コンピュータ可読記憶媒体は、例えば、電気的、磁気的、光学的、電磁気的、赤外線、或いは半導体システム、装置やデバイス、又はそれらの任意の組み合わせであってもよいが、これらに限定されない。コンピュータ可読記憶媒体のより具体的な例には、１本又は複数本の導線により電気的に接続された、ポータブルコンピュータディスク、ハードディスク、ランダムアクセスメモリ（ＲＡＭ）、読み取り専用メモリ（ＲＯＭ）、消去可能プログラマブル読み取り専用メモリ（ＥＰＲＯＭ又はフラッシュメモリ）、光ファイバー、ポータブルコンパクトディスク読み取り専用メモリ（ＣＤ−ＲＯＭ）、光学記憶装置、磁気記憶装置、又はこれらの任意の適切な組み合わせを含んでもよいが、これらに限定されない。本出願では、コンピュータ可読記憶媒体はプログラムを備えるか又は格納する任意の有形の媒体であってもよいが、このコンピュータ可読記憶媒体はコマンド実行システム、装置、又はデバイスによって使用されてもよく、それらに組み込まれて使用されてもよい。本出願では、コンピュータ可読信号媒体は、ベースバンドで伝播されるか、又は搬送波の一部として伝播されるデータ信号を含んでもよく、コンピュータ可読プログラムコードが担持されている。そのような伝播されたデータ信号は様々な形態をとることができ、電磁気信号、光信号、又は上記のものの任意の適切な組み合わせを含んでもよいが、これらに限定されない。コンピュータ可読信号媒体はまた、コンピュータ可読記憶媒体以外の任意のコンピュータ可読媒体であってもよく、該コンピュータ可読媒体は、コマンド実行システム、装置、又はデバイスによって使用されるか、又はそれらに組み込まれて使用されるプログラムを送信、伝搬、又は伝送してもよい。コンピュータ可読媒体に含まれるプログラムコードは任意の適切な媒体を使用して伝送することができ、この媒体は無線、有線、光ケーブル、無線周波数など、又はこれらの任意の適切な組み合わせを含んでもよいが、これらに限定されない。
【００８９】
図面のうちのフローチャート及びブロック図は、本出願のさまざまな実施形態に係るシステム、方法、及びコンピュータプログラム製品によって実現可能なアーキテクチャ、機能及び動作の例示である。これに関して、フローチャート又はブロック図の各ブロックは、モジュール、プログラムセグメント、又はコードの一部を代表でき、このモジュール、プログラムセグメント、又はコードの一部は指定されたロジック機能を実現するための１つ又は複数の実行可能なコマンドを備える。また、一部の代替となる実施態様においては、ブロックに記載されている機能は、図面にマークされているものと異なる順序で実行できる。たとえば、連続して表される２つのブロックは、実際にはほぼ並行して実行されることができ、これらは逆の順序で実行される場合もあり、関連する機能によって決められる。また、ブロック図及び／又はフローチャートの各ブロック、ならびにブロック図及び／又はフローチャートにおけるブロックの組み合わせは、指定された機能又は操作を実行する専用のハードウェアベースのシステムによって実現することもできるし、専用のハードウェアとコンピューターコマンドの組み合わせで実現することもできる。
【００９０】
本出願の実施形態で説明される手段は、ソフトウェアやハードウェアによって実装されてもよい。説明された手段は、プロセッサに設置されることができ、言い換えれば、例えば、「受信手段、判定手段、第１送信手段及び第２送信手段を備えるプロセッサ」と記載されてもよい。これらのうち、これらの手段の名称は、ある状況で、該手段そのものに対する限定ではなく、例えば、受信手段は、「第２ラベルスキャナーによりスキャンされた貨物のラベルを受信する手段」と記載されてもよい。
【００９１】
別の態様として、本出願は、上記の実施形態で説明したデバイスに含まれ得る、又はデバイスに組み込まれることなく単独で存在し得るコンピュータ可読媒体も提供した。上記コンピュータ可読媒体は１つ又は複数のプログラムを記憶し、上記１つ又は複数のプログラムが該装置によって実行される時、該装置は、搬入トランスポートトラックでのいずれの搬入サブトランスポートトラックと搬入メイントランスポートトラックとの接続部位での第２ラベルスキャナーによりスキャンされた、搬入メイントランスポートトラックで運ばれている貨物のラベルを受信することであって、ここで、搬入トランスポートトラックは搬入メイントランスポートトラックと複数の搬入サブトランスポートトラックを備え、各搬入サブトランスポートトラックが多層パレットの一つの層に対応しており、いずれの搬入サブトランスポートトラックの一端が、パレットの一つの層の貨物一時貯留エリアに接続され、他端が搬入メイントランスポートトラックに接続される、ことと、ラベルに基づいて貨物に対応するパレット層が該搬入サブトランスポートトラックに対応するか否かを判定することと、貨物を保管するパレット層が該搬入サブトランスポートトラックに対応していると判定されたことに応答して、該搬入サブトランスポートトラックと搬入メイントランスポートトラックとの接続部位に設置される分流装置に、貨物を該搬入サブトランスポートトラックに分流させる指令を送信することと、搬入サブトランスポートトラックに対応するパレット層の貨物一時貯留エリアに設置される第３ラベルスキャナーによりスキャンされた、搬入サブトランスポートトラックで運ばれている貨物のラベルを受信したことに応答して、該搬入サブトランスポートトラックに対応したシャトルトロリーに、貨物を貨物一時貯留エリアから貨物に対応した貨物保管エリアに搬送する指令を送信することと、を実行させる。
【００９２】
上記の説明は、本出願の好ましい実施形態及び適用される技術的原理の説明にすぎない。当業者であれば、本出願に含まれる発明の範囲について、上記の技術的特徴の特定の組み合わせからなる技術的解決策に限定されず、上記の発明の趣旨を逸脱しない範囲で、上記の技術的特徴又はそれらの同等の特徴を任意に組み合わせることにより形成されるその他の解決策も含まれるべきであることを理解すべきである。例えば、上記の特徴と、本出願に開示された同様の機能を有する技術的特徴（それらに限られない）とを相互に置き換えてなる解決策が該当する。
【符号の説明】
【００９３】
１１  パレット
１２  搬入トランスポートトラック
１３  シャトルトロリー
１４  搬出トランスポートトラック
１５  トランスポートセグメント
２１  パレット
２２  搬入トランスポートトラック
２３  シャトルトロリー
２４  搬出トランスポートトラック
２６  サーバー
１２１  搬入メイントランスポートトラック
１２２  搬入サブトランスポートトラック
１４１  搬出メイントランスポートトラック
１４２  搬出サブトランスポートトラック
１５１  第１サブトランスポートセグメント
１５２  第２サブトランスポートセグメント
２２１  搬入メイントランスポートトラック
２２２  搬入サブトランスポートトラック
２４１  搬出メイントランスポートトラック
２４２  搬出サブトランスポートトラック
８０１  受信手段
８０２  判定手段
８０３  第１送信手段
８０４  第２送信手段
９００  コンピューターシステム
９０１  中央処理装置（ＣＰＵ）
９０１  中央処理装置（ＣＰＵ、ＣｅｎｔｒａｌＰｒｏｃｅｓｓｉｎｇＵｎｉｔ）
９０２  専用メモリ（ＲＯＭ、ＲｅａｄＯｎｌｙＭｅｍｏｒｙ）
９０３  ランダムアクセスメモリ（ＲＡＭ、ＲａｎｄｏｍＡｃｃｅｓｓＭｅｍｏｒｙ）
９０４  バス
９０５  Ｉ／Ｏインターフェース
９０６  記憶部
９０６  記憶手段
９０７  通信部
９０８  ドライバ
９０９  リムーバブルメディア
【図１】
2021506704.tif 000003
【図２】
2021506704.tif 000004
【図３】
2021506704.tif 000005
【図４】
2021506704.tif 000006
【図５】
2021506704.tif 000007
【図６】
2021506704.tif 000008
【図７】
2021506704.tif 000009
【図８】
2021506704.tif 000010
【図９】
2021506704.tif 000011
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
パレットとの間で貨物輸送を行うための貨物輸送システムであって、
前記パレットは複数のパレット層を備え、前記パレット層それぞれは貨物一時貯留エリアと複数の貨物保管エリアを含み、
前記貨物輸送システムは、パレットに貨物を輸送するための搬入トランスポートトラックと、一つのパレット層における貨物一時貯留エリアと貨物保管エリアとの間で貨物を搬送するためのシャトルトロリーと、を備え、
ここで、前記搬入トランスポートトラックは、搬入メイントランスポートトラックと複数の搬入サブトランスポートトラックを備え、各前記搬入サブトランスポートトラックはパレットの一つのパレット層に対応しており、いずれの搬入サブトランスポートトラックの一端がパレットの一つのパレット層における貨物一時貯留エリアに接続され、他端が前記搬入メイントランスポートトラックに接続される、貨物輸送システム。
【請求項２】
前記貨物輸送システムは、前記貨物に対応する保管位置を確定することと、前記貨物を前記貨物に対応する保管位置に輸送するように前記搬入トランスポートトラックと前記シャトルトロリーを制御することとを行うためのサーバーをさらに備え、
ここで、前記保管位置がパレット層及び貨物保管エリアを含む、請求項１に記載のシステム。
【請求項３】
前記貨物には、前記貨物の識別情報と、予め指定された、前記貨物に対応するパレット層及び貨物保管エリアとを識別するためのラベルが貼り付けられ、
いずれの搬入サブトランスポートトラックと前記搬入メイントランスポートトラックとの接続部位に第１ラベルスキャナーが設置され、
前記第１ラベルスキャナーは、前記搬入メイントランスポートトラックで運ばれている貨物のラベルをスキャンして識別し、前記ラベルに対する識別結果に基づいて前記貨物に対応する搬入サブトランスポートトラックを確定するように構成される、請求項１に記載のシステム。
【請求項４】
前記貨物には、前記貨物の識別情報及びその保管位置を識別するためのラベルが貼り付けられ、
いずれの搬入サブトランスポートトラックと前記搬入メイントランスポートトラックとの接続部位に第２ラベルスキャナーが設置され、
前記第２ラベルスキャナーは、
前記搬入メイントランスポートトラックで運ばれている貨物のラベルをスキャンして、
前記サーバーがスキャンされたラベルに基づいて前記貨物を該搬入サブトランスポートトラックに輸送するか否かを判断するためにスキャンされたラベルを前記サーバーに送信するように構成される、請求項２に記載のシステム。
【請求項５】
いずれの搬入サブトランスポートトラックと前記搬入メイントランスポートトラックとの接続部位に分流装置が設置され、
前記分流装置は、搬入メイントランスポートトラックで運ばれている貨物をこの貨物に対応する搬入サブトランスポートトラックに分流させるように構成される、請求項３又は４に記載のシステム。
【請求項６】
いずれのパレット層における貨物一時貯留エリアに第３ラベルスキャナーが設置され、
前記第３ラベルスキャナーは、
搬入サブトランスポートトラックから該パレット層における貨物一時貯留エリアに輸送された貨物のラベルをスキャンして、
前記サーバーが前記貨物を該パレット層における貨物一時貯留エリアから前記貨物に対応する貨物保管エリアに輸送するようにスキャンされたラベルに基づいて該パレット層に対応するシャトルトロリーを制御するために、スキャンされたラベルで示される貨物の識別情報と保管位置を前記サーバーに送信するように構成される、請求項２に記載のシステム。
【請求項７】
前記貨物輸送システムは、貨物をパレットから搬出するための搬出トランスポートトラックをさらに備え、
ここで、前記搬出トランスポートトラックは、搬出メイントランスポートトラックと複数の搬出サブトランスポートトラックを備え、各搬出サブトランスポートトラックは前記パレットの一つのパレット層に対応しており、いずれの搬出サブトランスポートトラックの一端が前記パレットの一つのパレット層に接続され、他端が前記搬出メイントランスポートトラックに接続される、請求項１に記載のシステム。
【請求項８】
前記搬入メイントランスポートトラックと搬出メイントランスポートトラックは、首尾接続のトランスポートセグメントを複数備え、
各トランスポートセグメントは、相互接続される第１サブトランスポートセグメントと第２サブトランスポートセグメントを備え、前記第１サブトランスポートセグメントは水平面と平行し、前記第２サブトランスポートセグメントは水平面と所定の角度をなし、
いずれのトランスポートセグメントの第１サブトランスポートセグメントは、少なくとも一つの搬入サブトランスポートトラックに接続されるか、又は少なくとも一つの搬出サブトランスポートトラックに接続され、
いずれの隣り合う二つのトランスポートセグメントのうちの一方のトランスポートセグメントの第１サブトランスポートセグメントは、他方のトランスポートセグメントの第２サブトランスポートセグメントに接続される、請求項７に記載のシステム。
【請求項９】
前記シャトルトロリーは、隣り合う二つのパレットの同じ高さのパレット層の間に設置されたトラックを走行し、
前記搬入トランスポートトラックと前記搬出トランスポートトラックは、同一パレットの、前記シャトルトロリーの走行軌跡からなる線分の反対の両端に設置される、
請求項８に記載のシステム。
【請求項１０】
前記シャトルトロリーは、隣り合う二つのパレットの同じ高さのパレット層の間に設置されたトラックを走行し、
前記搬入トランスポートトラックと前記搬出トランスポートトラックそれぞれは、隣り合う二つのパレットのうちの一方のパレットに一対一対応して接続され、前記搬入トランスポートトラックと前記搬出トランスポートトラックは、前記シャトルトロリーの走行軌跡からなる線分の同一端に設置される、請求項８に記載のシステム。
【請求項１１】
前記シャトルトロリーは、ダブルステーションシャトルトロリーであり、各ステーションには少なくとも一つの貨物が同時に収容される、請求項１に記載のシステム。
【請求項１２】
搬入トランスポートトラックにおけるいずれの搬入サブトランスポートトラックと搬入メイントランスポートトラックとの接続部位にある第２ラベルスキャナーによりスキャンされた、前記搬入メイントランスポートトラックで運ばれている貨物のラベルを受信するステップであって、前記搬入トランスポートトラックは、搬入メイントランスポートトラックと複数の搬入サブトランスポートトラックを備え、各前記搬入サブトランスポートトラックが多層パレットの一つのパレット層に対応しており、いずれの搬入サブトランスポートトラックの一端がパレットの一つのパレット層における貨物一時貯留エリアに接続され、他端が前記搬入メイントランスポートトラックに接続される、ステップと、
前記ラベルに基づいて前記貨物に対応する保管用のパレット層が、該搬入サブトランスポートトラックに対応しているか否かを判定するステップと、
前記貨物の保管用のパレット層と該搬入サブトランスポートトラックとが対応していると判定されたことに応答して、該搬入サブトランスポートトラックと搬入メイントランスポートトラックとの接続部位に設置される分流装置が前記貨物を該搬入サブトランスポートトラックに分流するように前記分流装置に指令を送信するステップと、
前記搬入サブトランスポートトラックに対応するパレット層の貨物一時貯留エリアに設置される第３ラベルスキャナーによりスキャンされた、前記搬入サブトランスポートトラックで運ばれている貨物のラベルを受信したことに応答して、該搬入サブトランスポートトラックに対応するシャトルトロリーに対して、前記貨物を貨物一時貯留エリアから前記貨物に対応する貨物保管エリアに搬送する指令を送信するステップと、
を備える貨物輸送方法。
【請求項１３】
前記方法は、
貨物が保管されるパレット層及び貨物保管エリアを備える前記貨物の保管位置を含む前記貨物の出庫指令を受信するステップと、
前記パレット層に対応するシャトルトロリーに対して、前記貨物を前記貨物保管エリアから搬出トランスポートトラックの、前記パレット層に接続した搬出サブトランスポートトラックに搬送する指令を送信するステップであって、前記搬出トランスポートトラックは、搬出メイントランスポートトラックと複数の搬出サブトランスポートトラックを備え、各搬出サブトランスポートトラックがパレットの一つのパレット層に対応しており、いずれの搬出サブトランスポートトラックの一端がパレットの一つのパレット層に接続され、他端が前記搬出メイントランスポートトラックに接続される、ステップと、
をさらに備える、請求項１１に記載の方法。
【請求項１４】
搬入トランスポートトラックにおけるいずれの搬入サブトランスポートトラックと搬入メイントランスポートトラックとの接続部位にある第２ラベルスキャナーによりスキャンされた、前記搬入メイントランスポートトラックで運ばれている貨物のラベルを受信するように構成される受信手段であって、前記搬入トランスポートトラックは、搬入メイントランスポートトラックと複数の搬入サブトランスポートトラックを備え、各前記搬入サブトランスポートトラックは多層パレットの一つの層に対応しており、いずれの搬入サブトランスポートトラックの一端がパレットの一つの層における貨物一時貯留エリアに接続され、他端が前記搬入メイントランスポートトラックに接続される、受信手段と、
前記貨物に対応する保管用のパレット層が該搬入サブトランスポートトラックに対応しているか否かを前記ラベルに基づいて判定するように構成される判定手段と、
前記貨物の保管用のパレット層と該搬入サブトランスポートトラックとが対応していると判定されたことに応答して、該搬入サブトランスポートトラックと搬入メイントランスポートトラックとの接続部位に設置される分流装置が前記貨物を該搬入サブトランスポートトラックに分流するように前記分流装置に指令を送信するように構成される第１送信手段と、
前記搬入サブトランスポートトラックに対応するパレット層の貨物一時貯留エリアに設置される第３ラベルスキャナーによりスキャンされた、前記搬入サブトランスポートトラックで運ばれている貨物のラベルを受信したことに応答して、該搬入サブトランスポートトラックに対応するシャトルトロリーに対して、前記貨物を貨物一時貯留エリアから前記貨物に対応する貨物保管エリアに搬送する指令を送信するように構成される第２送信手段と、
を備える貨物輸送装置。
【請求項１５】
前記装置は、出庫手段をさらに備え、
前記出庫手段は、
貨物が保管されるパレット層及び貨物保管エリアを備える前記貨物の保管位置を含む前記貨物の出庫指令を受信することと、
前記パレット層に対応するシャトルトロリーに対して、前記貨物を前記貨物保管エリアから、搬出トランスポートトラックの、前記パレット層に接続した搬出サブトランスポートトラックに搬送する指令を送信することであって、前記搬出トランスポートトラックは、搬出メイントランスポートトラックと複数の搬出サブトランスポートトラックを備え、各搬出サブトランスポートトラックはパレットの一つのパレット層に対応しており、いずれの搬出サブトランスポートトラックの一端がパレットの一つのパレット層に接続され、他端が前記搬出メイントランスポートトラックに接続される、ことと、
を行うように構成される、請求項１４に記載の装置。
【請求項１６】
一つ又は複数のプロセッサと、
一つ又は複数のプログラムを記憶するための記憶装置と、を備えるサーバーであって、
前記一つ又は複数のプログラムが前記一つ又は複数のプロセッサによって実行される時、前記一つ又は複数のプロセッサに請求項１２又は１３に記載の方法を実現させるサーバー。
【請求項１７】
コンピュータプログラムが記憶されるコンピュータ可読記憶媒体であって、
該プログラムがプロセッサによって実行される時、請求項１２又は１３に記載の方法を実現するコンピュータプログラムが記憶されるコンピュータ可読記憶媒体。
【請求項１８】
コンピュータプログラムであって、
前記コンピュータプログラムがプロセッサにより実行されると、請求項１２又は１３に記載の方法を実現する、コンピュータプログラム。
【国際調査報告】
2021506704.tif 000012
2021506704.tif 000013
2021506704.tif 000014
2021506704.tif 000015